(57)【要約】間隔を空けた電極の間に交流電圧を印加することにより、プラズマ処理したガス透過性素材を作成する。電極の少なくとも１つは誘電バリアで覆われ、また、電極の少なくとも１つは、複数の分離型電極セグメントを有する。もって間隔を空けた電極の間にプラズママイクロ放電を発生させる。ガス透過性素材は、間隔を空けた電極の間またはその近隣を通される。ガスは電極セグメントの間を通り、電極間の空間を通り抜けて、ガス透過性素材を通り抜ける。ガスは、各電極セグメントのプラズマ発生面上を流れる。その速さは、間隔を空けた電極の間を流れるガス流が乱流化してプラズママイクロ放電をランダム化し、かつ、ガス透過性素材内において燃焼につながる不安定性を引き起こしかねないプラズマ生成物を分散させる速さである。このランダム化されたプラズママイクロ放電によっておしなべて均一なプラズマ処理をガス透過性素材に施すことができる。また、この処理方法を展開するための装置を開示する。
2006525627.tif 000002
【特許請求の範囲】
【請求項１】
ガス透過性素材に対しプラズマ処理する装置であって、
（ａ）離隔した電極であって、前記電極の少なくとも１つは誘電バリアに覆われ、かつ、前記電極の少なくとも１つは複数の分離型電極セグメントを備える、前記離隔した電極と、
（ｂ）前記離隔した電極間に交流電圧を印加し、前記離隔した電極間にプラズママイクロ放電を発生させる交流電圧印加手段と、
（ｃ）前記ガス透過性素材を、前記離隔した電極の間または近傍を通過させる手段と、
（ｄ）前記電極セグメント間にあるガスを、前記電極の間隙を通りかつ前記ガス透過性素材を通り抜けるように移動させるガス移動手段であって、もって前記ガスは前記電極セグメントのプラズマ生成界面を流され、ここで、前記ガスの流れの速さは、前記離隔した電極間において前記流れが乱流となり、よって前記プラズママイクロ放電をランダム化しかつ前記ガス透過性素材内において燃焼につながる不安定を生じさせるプラズマ生成物を分散させるような速さである、前記ガス移動手段とを有し、
前記ランダム化されたマイクロ放電によって概ね均一なプラズマ処理が前記ガス透過性素材に施されることを特徴とするプラズマ処理装置。
【請求項２】
前記離隔した電極に含まれる第１電極は、ガス透過性であることを特徴とする請求項１に記載の装置。
【請求項３】
前記第１電極は、メッシュ状電極であることを特徴とする請求項２に記載の装置。
【請求項４】
前記メッシュ状電極は、粗いメッシュを備え、前記粗いメッシュは、その上方にある細かいメッシュの層を支持することを特徴とする請求項３に記載の装置。
【請求項５】
前記第１電極は、回転ドラム電極の曲面であり、
第２電極は、前記電極セグメントを備え、
前記電極セグメントは、前記ドラムと同心円状に配され、
前記ガス透過性素材は、前記第１と第２電極との間において前記第１電極に乗ることができることを特徴とする請求項２ないし４のいずれか１つに記載の装置。
【請求項６】
前記ドラムは、中空の回転式ドラムであることを特徴とする請求項５に記載の装置。
【請求項７】
前記電極セグメントの前記プラズマ生成界面は、前記離隔した電極の他方の電極と対向し、横方向に湾曲した細長い面であることを特徴とする請求項１ないし６のいずれか１つに記載の装置。
【請求項８】
前記電極セグメントは、それぞれ、棒状電極であることを特徴とする請求項１ないし７のいずれか１つに記載の装置。
【請求項９】
前記分離型電極セグメントの隣り合った電極セグメントは、およそ０．５ｍｍないし２ｍｍの間隔を有することを特徴とする請求項１ないし８のいずれか１つに記載の装置。
【請求項１０】
前記交流電圧印加手段は、前記移動されるガス中に含まれ、前記プラズママイクロ放電の局在化を引き起こし得るプラズマ副生成物を分散および／または移動させることができる周波数で、前記電極に対し電圧を印加することを特徴とする請求項１ないし９のいずれか１つに記載の装置。
【請求項１１】
前記周波数は、１ｋＨｚないし２０ｋＨｚの範囲に含まれることを特徴とする請求項１０に記載の装置。
【請求項１２】
前記周波数は、１ｋＨｚないし５ｋＨｚの範囲に含まれることを特徴とする請求項１０に記載の装置。
【請求項１３】
前記電極の間の間隔は、２ｍｍないし１０ｍｍの範囲に含まれることを特徴とする請求項１ないし１２のいずれか１つに記載の装置。
【請求項１４】
前記離隔した電極は、前記ガス透過性素材を通り抜ける前記ガスを、前記離隔した電極間を通過する前記素材の移動方向と直角をなす方向に移動させることを可能な形状を有することを特徴とする請求項１ないし１３のいずれか１つに記載の装置。
【請求項１５】
プラズマ処理したガス透過性素材を作成する方法であって、
（ａ）離隔した電極間に交流電圧を印加し前記離隔した電極間にプラズママイクロ放電を発生させるステップであって、ここで前記電極の少なくとも１つが誘電バリアに覆われ、かつ前記電極の少なくとも１つが複数の分離型電極セグメントを含む、ステップと、
（ｂ）ガス透過性素材を、前記離隔した電極の間または近傍を通過させるステップと、
（ｃ）前記電力セグメント間にあるガスを、前記電極の間隙を通りかつ前記ガス透過性素材を通り抜けるように移動させるステップであって、もって前記ガスは前記電極セグメントのプラズマ生成界面を流され、ここで、前記ガスの流れの速さは、前記離隔した電極間において前記流れが乱流となり、よって前記プラズママイクロ放電をランダム化しかつ前記ガス透過性素材内において燃焼につながる不安定を生じさせるプラズマ生成物を分散させるような速さである、ステップとを有し、
前記ランダム化されたマイクロ放電によって概ね均一なプラズマ処理が前記ガス透過性素材に施されることを特徴とする方法。
【請求項１６】
前記ガスを、前記離隔した電極に含まれる第１電極を通って移動させるステップを含み、
前記第１電極は、ガス透過性であることを特徴とする請求項１５に記載の方法。
【請求項１７】
前記電極セグメントの前記プラズマ生成界面は、前記離隔した電極の他方の電極と対向し、横方向に湾曲した細長い面であることを特徴とする請求項１５または１６に記載の方法。
【請求項１８】
前記電極セグメントは、それぞれ、棒状電極であることを特徴とする請求項１５ないし１７のいずれか１つに記載の方法。
【請求項１９】
前記交流電圧は、前記移動されるガス中に含まれ、前記プラズママイクロ放電の局在化を引き起こし得るプラズマ副生成物を分散および／または移動させることができる周波数を有することを特徴とする請求項１５ないし１８のいずれか１つに記載の方法。
【請求項２０】
前記周波数は、１ｋＨｚないし２０ｋＨｚの範囲に含まれることを特徴とする請求項１９に記載の方法。
【請求項２１】
前記周波数は、１ｋＨｚないし５ｋＨｚの範囲に含まれることを特徴とする請求項１９に記載の方法。
【請求項２２】
前記ガスは、前記ガス透過性素材が前記離隔した電極間を通過する方向と直角な方向に前記ガス透過性素材を通り抜けて移動させられることを特徴とする請求項１５ないし２１のいずれか１つに記載の方法。
【請求項２３】
前記ガスは、空気であることを特徴とする請求項１５ないし２２のいずれか１つに記載の方法。
【請求項２４】
前記電極の間の間隙および前記ガス透過性素材を通り抜けるときの前記空気の空気圧は、実質的に大気圧であることを特徴とする請求項２３に記載の方法。
【請求項２５】
前記離隔した電極に印加される前記電圧は、１０ｋＶないし２５ｋＶの範囲に含まれることを特徴とする請求項１５ないし２４のいずれか１つに記載の方法。
【請求項２６】
前記ガス透過性素材は、繊維状素材であることを特徴とする請求項１５ないし２５のいずれか１つに記載の方法。
【請求項２７】
前記繊維状素材は、ウールであることを特徴とする請求項２６に記載の方法。
【請求項２８】
前記繊維状素材は、ウール・スライバであることを特徴とする請求項２７に記載の方法。
【請求項２９】
プラズマ生成可能な電極であって、
（ａ）導電性要素と、
（ｂ）前記導電性要素まわりの誘電性シースと、
（ｃ）前記導電性要素および前記誘電性シースの両方と接する液状導電性媒体とを有し、前記液状媒体が前記誘電性シースとの均一な接触部を形成することを特徴とする電極。
【請求項３０】
前記液状媒体は、前記導電性要素と前記誘電性シースとの間に配されることを特徴とする請求項２９に記載の電極。
【請求項３１】
前記誘電性シースは、実質的に、前記導電性要素の周囲を囲むかまたは取り囲み、前記導電性要素が前記電極のコアを形成していることを特徴とする請求項３０に記載の電極。
【請求項３２】
前記液状媒体は、透明であることを特徴とする請求項２９ないし３１のいずれか１つに記載の電極。
【請求項３３】
前記液状媒体は、制御可能に可変的な、組成に依存した電気伝導性を有することを特徴とする請求項２９ないし３２のいずれか１つに記載の電極。
【請求項３４】
前記電極は、細長く、概ね円筒形であることを特徴とする請求項２９ないし３３のいずれか１つに記載の電極。
【発明の詳細な説明】
【技術分野】
【０００１】
本発明はガス透過性素材、例えば繊維性素材のプラズマ処理のための装置および方法に関する。本発明は、特に毛織物（ウール）に対する用途に有用である。
【背景技術】
【０００２】
素材を、プラズマ処理して表面改質することは広く利用されている。この処理は一般に、素材の表面に均質に施された場合に有益である。この処理が毛織物繊維(wool fibres)に用いられる場合、繊維の表面の脂質層(lipid layer)を酸化することに用いられる。脂質層を酸化させることで、毛織物繊維に対するその後の表面処理、例えば防縮処理およびピリング防止処理に対する受容性を向上させることができる。
【０００３】
また、脂質層の除去によって、繊維間の摩擦性を高めることができる。これは、糸をつくる時に求められるよじれが少ない場合、糸の製造過程にとって有益である。よじれの程度が低ければ低い程、糸をより高速で製造することが可能となり、下流における処理過程を高速で稼働させることができるようになり、よって生産量を増加させることができる。さらに、よじれの度合いの低い糸は、よじれの度合いの高い糸に較べて柔らかな手触りを示す。そのため、よじれの度合いの高い糸で作成した衣料品に較べて商業的により好ましい柔軟な衣料品を作れる点において、よじれの度合いの低い糸を使用することは有利である。
【０００４】
毛織物およびその他の繊維性素材に対するプラズマ処理は、均質な表面処理として施されることで生産ラインの下流における処理過程の受容性を確実なものにする。素材の表面に対して均質な処理がなされなければ、下流における処理過程は意図したような効果を示さず、粗悪品が作り出されることになる。
【０００５】
プラズマ処理に関する別の態様では、毛織物およびその他の繊維性素材は、プラズマ処理の際に部分的に燃焼することがよくある。このこともまた、生産ラインにおいて間断のない素材の供給を要する場合には、非常に好ましくないことである。それ故、プラズマ処理を最適なものとすることで処理される素材の局所的燃焼の発生を最小限に留める必要がある。
【０００６】
現在、素材を処理するためのプラズマを発生させる技術においては、印加電圧およびその周波数を調整することで安定した均質なプラズマを発生させている。これらのプラズマは通常、大気圧よりも低いかまたは高いガス圧中で発生される。ごく最近、大気圧下プラズマ処理で進展があり、その処理手法では、高価な希ガスを用いることで素材の表面処理に適した均一なグローにプラズマを安定化させる手法が含まれる。大気圧よりも高圧下もしくは低圧下でのプラズマ処理ならびに希ガスを備えるプラズマ処理にかかる費用は、経済性の面で実現性に乏しい。従い、我々の興味は空気中における大気圧下でのプラズマ処理に収斂する。
【０００７】
ロスら(Roth et al.)は、特許文献１において、ヘリウムおよび／または空気の絶縁破壊により発生したイオンが電極間にトラップされている場合、均一なグロー放電プラズマが１気圧下で発生することを記している。ロスは、イオンのトラップ（イオン・トラッピング）によってプラズマ中のイオンの寿命が増加し、それによって絶縁破壊のスレッショルドが下がり、均一なグロー放電が実現されることを示している。レール・リクイド(L'Air Liquide)に譲渡されたゲラルディら(Gherardi et al.)に対する特許の明細書（特許文献２）においても、同様の理論について肯定的に論ぜられている。ロスらによれば、このようなトラッピングは、間隔を置いた電極間に無線周波数(radio frequency)の交流電場を与えることで可能となる。ロスらは、このイオン・トラッピングが生じるような、電極間隔と、電極電圧と、与えた周波数との間の関係性を提示する。
【０００８】
特許文献３は、大気圧下におけるプラズマ処理を開示する。ここでは、対称性に関する長手軸に対して勾配を有するガス流を導入することで、細長い放電電極に渡りマイクロ放電(microdischarge)の空間的に均質な分布が実現されている。相対的に複雑な構造には、ガス配給チャンバからの複数のチャネルが含まれている。
【０００９】
特許文献４は、ほぼ大気圧下での高分子ストリップのためのプラズマ処理ステーションが開示される。しかし、ここでは、圧は、僅かに大気圧よりも高圧であることが望まれる。そのような圧力下において、ガスは、極めて接近して配された平面電極対の一方の開口部のアレイから吹き出される。乱れを含んだ高速流によるガス配給によってフィラメント放電の形成を遅らせ、抑止する。
【特許文献１】米国特許第５，４０３，４５３号明細書
【特許文献２】米国特許第６，２９９，９４８号明細書
【特許文献３】国際公開第０２／０９４４５５号パンフレット
【特許文献４】米国特許第５，８９５，５５８号明細書
【発明の開示】
【発明が解決しようとする課題】
【００１０】
本発明の目的は、ガス透過性素材に用いるための、改善されたプラズマ処理技術の提供である。
【課題を解決するための手段】
【００１１】
本願の発明者は、標準気圧プラズマにおける均一性の悪さは、先のサイクルにおけるプラズマ生成から残存するイオンが絶縁破壊をそれらイオンに集中させる、つまり同一ポイントに集中させることに起因すると考えている。標準的な誘電バリア放電プラズマは、複数のマイクロ放電を含む。マイクロ放電のそれぞれは、数ナノ秒の期間を有する。プラズマは、電極間に印加された高交流電圧により駆動される。交流電圧プラズマの半サイクルのそれぞれにおいて、マイクロ放電のバーストが生じる。マイクロ放電のそれぞれで生じたイオンは、通常は容易に分散されず、環境ガスと比較すれば低い電気抵抗性有するために同じ場所で反復的にマイクロ放電(microdischarge)を発生させる。このことが処理の均一性の悪さを招来し、プラズマによる有用な化学種の生成に利用可能なあらゆるガスの使用を失敗させている。
【００１２】
また、マイクロ放電の局在化によって、高温度化を示す不安定性がプラズマ内部において発生する確率が高くなる。これにより、処理すべき素材が燃焼する。これは、プラズマによって素材の表面から特定の化学物質が局所的に放出されることに起因すると思われる。このような場所では汚染物質が高濃度で存在する。このような化学物質の生成によりプラズマの性質は変化し、局所的なプラズマのエネルギの過度の吸収が発生し、温度が急激に上昇する。マイクロ放電の局在化は２つの結果をもたらすと考えられている。先ず、電極に対して静止した状態のイオンが電極間のマイクロ放電の局在化を引き起こし、表面処理が不均一で実効性の低いものとなる。次に、電極に対して運動するガス透過性素材内におけるイオンおよびプラズマ材料の副生成物のトラップによって素材に対するプラズマの局在化が生じて素材の燃焼が起こる。
【００１３】
さらに、プラズママイクロ放電の局在化によってプラズマの発生に利用可能なガス量全てを使用できず、素材の表面化学（界面化学）の改質に資する活性種の濃度は限られる。
【００１４】
しかして、本発明はガス透過性素材に強力なガス流を送ることにより、交流電圧のサイクル（周期）の間に電極間もしくはガス透過性素材内からイオンならびに好ましくない化学物質を分散もしくは移動させ、局在化したプラズママイクロ放電の形成を抑止する。よって、本発明は、ロスの理論が定めるパラメータに含まれないような電圧、周波数、および、電極の分離の度合いで、均一でありかつ効果的なプラズマ処理を提供する。ロスおよびその他の者が主張するような均一なグロー放電を発生させるのではなく、本発明は、フィラメント状でありかつランダムな誘電バリア放電プラズマを用い、処理すべき素材を燃焼させることなく効果的な均一なプラズマ表面処理を提供する。
【００１５】
本発明は、その第１の態様においては、プラズマ処理したガス透過性素材を作成する方法であって、
（ａ）離隔した電極間に交流電圧を印加し、その離隔した電極間にプラズママイクロ放電を発生させるステップであって、その電極の少なくとも１つが誘電バリアに覆われ、その電極の少なくとも１つが複数の分離型電極セグメントを含む、ステップと、
（ｂ）ガス透過性素材を、前記の離隔した電極の間または近傍を通過させるステップと、
（ｃ）前記の電力セグメント間にあるガスを、電極の間隙を通りかつガス透過性素材を通り抜けるように移動させるステップであって、もってガスは電極セグメントのプラズマ生成界面に行き渡り、そのガス流は、離隔した電極間において流れが乱流となるような速度で流されて、よってプラズママイクロ放電をランダム化し、ガス透過性素材内において燃焼につながる不安定性を生じさせるプラズマ生成物を分散させる、ステップとを含み、
ランダム化されたプラズママイクロ放電によって均質なプラズマ処理がガス透過性素材に施させる方法である。
【００１６】
当然のことだが、ガスを電極間の空隙に通すことにより、電極に対して静止した状態に留まっているイオンは分散および／または移動される。さらに、ガス透過性素材に捕らえられているイオンも素材を通って流れるガスによって分散および／または移動される。よって、次に発生するプラズママイクロ放電は前に発生したプラズママイクロ放電と同一のポイントで繰り返し発生しない。しかして、ランダム化されたプラズママイクロ放電は、ガス透過性素材の表面を処理するのに適した、時間平均的に均一なプラズマを発生させる。従って、本方法で処理したガス透過性素材は、より良い表面特性の均質性を備え、また、局在化したプラズママイクロ放電によって燃焼することも少なくなる。
【００１７】
好適な実施形態においては、ガスは、ガス透過性素材が離隔した電極の間を通過する方向と直角な方向に運動する。
【００１８】
特に好適な実施形態においては、運動しているガス中に含まれ、プラズママイクロ放電の局在化を引き起こすプラズマ副生成物の分散および／または移動が可能となるような周波数の交流電圧を印加することにより、本方法はさらに容易なものとなる。いかなる周波数も、用いることが可能ではあるが、１ないし２０ｋＨｚの範囲の周波数が一般的に用いられ、特に１ないし５ｋＨｚの範囲の周波数が好ましい。
【００１９】
別の便益としては、運動するガスは、イオンのみならず、Ｏ３（オゾン）やＮＯ２（二酸化窒素）といった有害なプラズマ副生成物をも移動させる点がある。
【００２０】
本方法で用いるガスは、例えば希ガスまたは素材に対して不活性なガスのような、プラズマを発生させる絶縁破壊に適したガスであれば何でも良いが、空気が好ましい。また、本方法で用いるガスは大気圧よりも高いまたは低いガス圧でよい。またガス圧が大気圧であることも好都合である。
【００２１】
離隔した電極に印加される電圧は、通例、１０ないし２５ｋＶである。
【００２２】
本発明の第１の態様によれば、本発明はさらに、ガス透過性素材のプラズマ処理のための装置を提供し、その装置は、
（ａ）離隔した電極であって、その電極の少なくとも１つが誘電バリアで覆われ、またその電極の少なくとも１つが複数の分離型電極セグメントを備えた、離隔した電極と、
（ｂ）前記の離隔した電極間に交流電圧を印加し、前記の離隔した電極間にプラズママイクロ放電を発生させる、電圧印加手段と、
（ｃ）ガス透過性素材を、前記の離隔した電極の間または近傍を通過させる手段と、
（ｄ）前記の電極セグメント間にあるガスを、電極の間隙を通りかつガス透過性素材を通り抜けるように移動させるガス移動手段であって、もってガスは電極セグメントのプラズマ生成界面に行き渡り、ここで、ガスの流れの速さは、離隔した電極間において流れが乱流となるような速度で流されて、プラズママイクロ放電をランダム化し、ガス透過性素材内において燃焼につながる不安定を生じさせるプラズマ生成物を分散させるような速さである、ガス移動手段とを有し、
ランダム化されたプラズママイクロ放電によって概ね均一なプラズマ処理をガス透過性素材に施させる装置である。
【００２３】
電圧印加手段は、ガス中に含まれ、プラズママイクロ放電の局在化を引き起こすプラズマ副生成物を分散および／または移動させることができる周波数の電圧を電極に印加することが望ましい。周波数は任意であるが、１ないし２０ｋＨｚであってよく、さらには１ないし５ｋＨｚであることが好ましい。
【００２４】
電極の間隔は、素材に電極間を相対運動させることができ、なおかつプラズマの生成に要する電力を最小限にとどめることができるものであることが好都合である。電極の間隔は、２ないし１０ｍｍが好ましく、さらにはおよそ４ｍｍであることが望ましい。
【００２５】
好適な実施形態において、離隔した電極の形状は、その離隔した電極の間を通されるガス透過性素材の通過方向と垂直な方向にガスがその素材を通り抜けて運動可能な形状であることが好ましい。
【００２６】
離隔した電極の１つはガス透過性であることが好ましく、とくにメッシュ状であることが望ましい。
【００２７】
近接する分離型電極セグメントの間隔は、およそ０．５ないし２ｍｍであることが好ましい。
【００２８】
ガス透過性素材を、離隔した電極の間または近傍を通過させる手段は、回転可能ドラム（回転式ドラム）でよい。この回転可能ドラムの曲面は、第１電極を備える。第２電極は分離型電極セグメントを含み、この分離型電極セグメントはドラムと同心円状に配される。ガス透過性素材は第１および第２電極間、第１電極上に乗せられる。
【００２９】
いずれの態様においても、本発明に係る装置は、例えば毛織物（ウール）や特にウール・スライバといった繊維性素材およびテキスタイルの処理に特に適している。
【００３０】
本発明は、その第２の態様において、プラズマ生成可能な電極であって、
（ａ）導電性要素と、
（ｂ）導電性要素まわりの誘電性シースと、
（ｃ）導電性要素および誘電性シースの両方と接する液状導電性媒体とを有し、その液状媒体が誘電性シースとの均一な接触部を形成する電極である。
【００３１】
この液状媒体は、導電性要素と誘電性シースとの間に配されることが好ましい。誘電性シースは、実質的に、導電性要素の周囲を囲むかまたは取り囲むことが好ましく、そうすることで、例えば、導電性要素が電極のコアを形成する。
【００３２】
液状媒体と誘電性シースとの間の均一な接触部により、誘電性シースの表面に対し一様な電流が確実に供給される。これにより、電極間のガスのランダムな絶縁破壊が容易となり、なおさらに均一なプラズマが生じる。また、これにより電極構造に含まれる尖ったポイントにおける電場の集中が回避される。この尖った構造とは、絶縁破壊の確率を高める構造である。このことは、薄い誘電性媒体を用いた場合に特に重要な事柄である。この薄い誘電性媒体は、プラズマと電気エネルギとの結合の効率を最大限に高める上で好ましいものである。また、液状導電体は電極内の熱を均一に分布させる役割を有し、それによって熱応力を最小限にとどめる。
【００３３】
液状導電体は透明なことが好ましい。よってプラズマを観察および／または光学的に測定することが可能となる。このことは従来の電極では不可能であった。
【００３４】
液状媒体は、制御可能に可変的な、その組成に依存した電気伝導性を有することが好ましい。
【００３５】
本発明の第２の態様における電極は、任意の形状を有してよいが、細長いことが好ましい。また、円筒形であることが好ましい。
【発明を実施するための最良の形態】
【００３６】
以下、本発明の好適な実施形態について説明する。添付の図面は、例示を目的としてのみ、参照される。
【００３７】
先ず、図１および図２を参照すると、プラズマ処理装置３０は、第１電極を備える中空回転ドラム４０を有する。第１電極はメッシュ状電極６０の形状を有しドラム４０の外側曲面上に形成される。さらに装置３０は、第２電極を有する。第２電極は、棒状電極７０の形状を有しメッシュ状電極６０に対し径方向外側に間隔を置いて配される。
【００３８】
メッシュ状電極６０は、粗いメッシュ６２を有する。粗いメッシュ６２は、その上にある細かいメッシュ６４の層を支持する。細かいメッシュ６４は、粗いメッシュ６２とは対照的に、プラズマ形成可能位置の巨大な配列を形成する。粗いメッシュ６２のようにプラズマ形成可能位置の数が少ないと、通例、プラズママイクロ放電の局在化を引き起こすことになる。
【００３９】
図１および図３に示すように、ドラム４０は、管状コア４４および楔状バッフル４２を有する。楔状バッフル４２は、コアからドラム４０外周部に延在する。コア４４は、ドラム４０内に延在し、開口部４６を有する。開口部４６は、ドラム４０の中空部からコア４４内部へのガス流を可能とする。コア４４は、導管４８により吸引手段５０に取付けられる。吸引手段５０は、産業用送風装置である。さらに、モータ５２は、ホイール５４を駆動する。ホイール５４は、ドラム４０を駆動可能に係合し、ドラム４０の棒状電極７０に対する回転運動を可能にしている。
【００４０】
ガス透過性素材が、本例においてはウール・スライバ５６が、ローラ５８越しに供給源から装置３０へ供給される。ウール５６は、メッシュ状電極６０と棒状電極７０との間の間隙を通る。ここでウール５６にプラズマ処理が施される。処理されたウール５６はその後、間隙を出てローラ５８’を超え、下流の加工処理設備へ送られる。
【００４１】
素材に対するプラズマ処理の適切さは、素材のプラズマ内滞留時間に依存する。しかしながら、棒状電極７０がドラム４０の表面を０．８ないし１ｍに渡って覆い、ドラム４０は、ウール・スライバ５６が装置３０内をおよそ毎分２０ｍの速さで動くように回転する場合、本装置３０を用いたプラズマ処理は適切に実施される。
【００４２】
実施中は、吸引手段５０がガスを吸引する。ガスは環境大気圧であることが好ましい。ガスは、棒状電極７０の間を通り、棒状電極７０とメッシュ状電極６０との間の間隙を通り抜け、メッシュ状電極６０を通ってドラム４０の中空部に達し、そして開口部４６を介して管状コア４４に至る。代替として希ガスのようなガスを用いてもよい。ガス圧は環境大気圧が好ましいが、環境大気圧よりも高いまたは低いガス圧であってもよい。棒状電極７０とメッシュ状電極６０との間の気流に関するより具体的な詳細については後でさらに議論することにする。
【００４３】
ウール５６がメッシュ状電極６０と接触するようになると、ドラム４０の中空部への気流は、ウール５６とメッシュ状電極６０との接触を保持する作用を示す。このような方法により、ウール６０またはその他類似のガス透過性素材は、棒状電極７０に対する相対的な移動の際にウール５６がバンチング(bunching)やフォールディング（巻き付き）(folding)を起こすことなくメッシュ状電極６０上に保持される。バッフル４２は、ウール５６のメッシュ状電極６０との接触状態からの解放を容易にする。なぜなら、バッフル４２に近接するメッシュ状電極６０のセグメントを通り抜ける空気はないためである。そのセグメントにおいてはメッシュ状電極６０を通り抜ける空気がないおかげで、ウール５６をメッシュ状電極６０との接触から解放される。
【００４４】
申し分のないプラズマ処理を素材に対して施すには、メッシュ状電極６０と棒状電極７０との間に１０ｋＶないし２０ｋＶの電圧を印加すればよい。このときの周波数は任意であるが、１ないし５ｋＨｚの範囲であることが好ましい。メッシュ状電極６０が接地される場合、電源８５が、適当なバスバーから延びるケーブル８２を介して棒状電極７０に交流電圧を印加する。
【００４５】
図２に示すように、気流Ａ、Ｂ、およびＣは、矢印Ｍで示すウール５６の運動方向に対し垂直である。このような方法で、ガスは、メッシュ状電極６０と棒状電極７０との間の間隙およびウール５６を通り抜け、ドラム４０の中空部へ向かう運動をする。プラズマが発生していない領域を通過する際に素材を通り抜ける気流は、素材に対して相対的に静止した状態に留まっているイオンや望ましくない化学物質といったプラズマ生成物を分散または移動させる作用があり、それによって燃焼につながる不安定性が伝播することを抑止する。別の実施形態においては、ガスの流れは、メッシュ状電極６０と棒状電極７０との間の間隙を通り、矢印Ｍで示すウールの運動方向と平行(parallel)または逆平行(anti-parallel)な方向にウール５６内を通り抜けてもよい。
【００４６】
棒状電極７０同士は、距離Ｓの間隔を有する。これによって、流入するガスＡは、メッシュ状電極６０に近接して対向する棒状電極７０のプラズマ発生面上で、矢印Ｂとして示すように乱流になる。距離Ｓがあまりに大きい場合、流入空気Ａは、棒状電極７０の表面上方を、間隙を置いて隣接した棒状電極７０からメッシュ状電極６０へ弱い気流としてとてもゆっくりとかつ真っ直ぐに流れる。しかしながら、距離Ｓがあまりに小さい場合、吸引手段５０にかかる負荷が増大する。そのため、残存するイオンを移動させかつプラズママイクロ放電をランダム化させる気流の速さを実現するために、さらに強力な吸引手段５０が必要になる。距離Ｓが０．５ないし２ｍｍである棒状電極７０は、メッシュ状電極６０に近接する棒状電極７０表面において、容認可能であって成功し得る乱流と流速を確保しうることを出願人は見出している。
【００４７】
棒状電極７０は、メッシュ状電極６０との間をウール５６が移動可能であってかつプラズママイクロ放電を発生させるのに必要な電力を最小限にするようなメッシュ状電極６０との間隔で配されることが好ましい。装置３０でウール・スライバ５６を用いる場合、棒状電極７０は、メッシュ状電極６０とおよそ４ｍｍの間隔を置いて配される。しかしながら、この距離は装置にセットされるガス透過性素材によって変化する。この距離は、１ないし１０ｍｍの範囲であることが好ましい。
【００４８】
メッシュ状電極６０と棒状電極７０との間を通る空気によって以前のプラズマ発生サイクルから残存するイオンは分散および／または移動せられ、次のプラズママイクロ放電は、残存するイオンの存在位置で繰り返し発生せずに、棒状電極７０とメッシュ状電極６０との間のランダムな位置で発生する。電極に対して静止して留まっているイオンを分散および／または移動させることによって、プラズママイクロ放電をランダム化可能となり、ひいては、ウール５６を処理するための、概してランダムなプラズマが実現される。さらに、ウール５６を通る高速な気流によって、ウール５６に捕らわれたイオンやその他のプラズマ生成物を分散および／または移動させることができ、そうすることによってウール５６に対して局在化した低強度ホットプラズマによるウール５６の燃焼を免れている。燃焼につながる不安定(burning instability)を回避することによって、より強力な出力密度(power density)を用いることができ、より高い処理レベルまたはより所与の処理される長さおよび／または供給のスピードをより高速にすることができる。
【００４９】
ガスを運動させることによるその他の便益として、（ｉ）乱れによるガスの混合により利用可能なガスをさらに使用することによって、短命なウール５６の表面処理を行う活性種を高濃度化することを可能とし、（ｉｉ）プラズマによる活性種の生成のための新鮮な空気を供給することによって、ウール５６のプラズマ処理を改善し、さらに、（ｉｉｉ）Ｏ３、ＮＯ２およびその他のヒューム(fume)といった有害なプラズマ副生成物を移動させることが含まれる。
【００５０】
例えば、電極間隔Ｓを２ｍｍとした場合、棒状電極７０間の気流の速さは、１．８ｍ／ｓを超えることが望ましい。一般に、気流の最小速度は、様々なパラメータ間の相互作用に依存している。様々なパラメータには、例えば、電力（パワー）、電圧、および周波数、ならびに処理する素材、が含まれる。
【００５１】
図４に示すように、各棒状電極７０は、導電性コア７２を有する。導電性コア７２は、例えば銅のような金属導電体で形成することが好ましい。誘電性シースは、本例においてはガラスチューブ７６として形成されている。誘電性シースは、コア７２の周りを囲んでいる。導電性媒体７４はコア７２をガラスチューブ７６から隔離する。この導電体とガラスとの間の間隙に充填される物質は、導電性であっても絶縁性であってもよいが、導電性を有する方がより好ましく、それによって誘電バリアの厚さを最少化して電極の均一性を最大化する。
【００５２】
本発明にかかる第２の態様の実施形態においては、媒体７４は、液状導電性媒体７４である。この液状導電性媒体７４は、水、またはその他の適当な導電性液体を含む。
【００５３】
この液状導電性媒体７４は、例えば水の場合、ガラスチューブ７６の内側表面の形状を形成し、ガラスチューブの内側表面全体にわたって均一でありかつ密な接触部を形成する。この接触部の均一性によって、ガラスチューブにおけるさらに均一な電流の分布とそれによる電荷の分布が確保される。このような均一な電流の分布は、素材に対するさらに均一なプラズマ処理をもたらす。液体７４と誘電体７７との間の密な接触によって、導電体と誘電体との間の接触部に最大限の滑らかさがもたらされ、誘電性物質の絶縁破壊が生じ得るような電場の局所的な集中が低減される。また、液状導電体は、より均一に熱を散逸させ、ガラスまたはセラミック製の電極内に生じる熱応力を低減する。図示しないが、空気間隙(air space)を適当な位置に設けることによって、温度変化による液体の膨張および収縮に対応してもよい。また、液状導電体の使用は、その他の方法によって実現可能なものよりもさらに複雑な形状を有する、誘電体に覆われた電極の使用を容易にする。何らかの手段を用いて誘電性物質を、例えばコイル状のガラスチューブといった複雑な構成体に成形し、それから液状導電体を容易に充填することができる。
【００５４】
液状導電体は、透明であることも好ましい。その場合、従来の電極では不可能だったプラズマの観察および／または光学的測定が可能となる。
【００５５】
液状媒体は、制御可能な組成依存の電気伝導性を有することが好ましい。例えば、液体に選択的な添加物を添加することで電気伝導性を制御する。制御した導電性を利用することで、時間的スケールに関して電極領域における瞬間的な電気エネルギ密度の局在化を防止することができる。この局在化は、損傷につながる不安定性(damaging instabilities)を引き起こすことがある。
【００５６】
導電性媒体７４は、（図示しない）栓によりチューブ７６内に保持される。その栓を通ってコア７２の露出端部が突出している。このコア７２の端部はワイヤ８２により電力源と接続され、棒状電極７０に交流電圧を供給する。
【００５７】
図４は、棒状電極７０の構成の一例を示す図である。棒状電極７０は壁部９０の開口部に設置される。この壁部はドラム４０から径方向外側に向かって延びる。シール８０は、ワイヤ８２により電力源と接続するコア７２の露出端部７５を、壁部９０の反対側に位置するメッシュ状電極６０とのアーク放電から電気的に絶縁する。この構成は、メッシュ状電極６０を接地させながら、同一の交流電圧を棒状電極７０に印加し、棒状電極７０とメッシュ状電極６０との間にプラズママイクロ放電を発生させるような場合に用いられる。
【００５８】
図５は、別の構成例を示す図である。本図においては、棒状電極７０は、交流電圧を印加した場合に隣接する棒状電極７０が、逆の極性でありかつ同じ大きさの電位を有するように交互的に配置される。そして、スライバ５６は、この間隙を置いた棒状電極７０に沿ってその近隣を移動する。このようにして、棒状電極７０とメッシュ状電極６０間というよりむしろ、隣接する棒状電極７０間でプラズママイクロ放電が発生する。よって、図４の構成と較べて交流電圧を半分にすることができる。つまり、＋／−１０ｋＶで、同じ２０ｋＶの電位差を、隣接棒状電極７０間に生成することができる。
【００５９】
プラズマを発生させるための電気的励起は、電極６０または７０の一方を接地し、他方の電極７０または６０に対して常に変化する電圧を印加することによって与えることができる。あるいは、任意の周波数と電圧の組み合わせで電圧を両方の電極に対して同時的に印加し、所望のプラズマを発生させるのに適当な、両電極間で時間的に変化する電位差を与えてもよい。
【００６０】
装置３０に設ける安全対策機構の１つに、バッフルに近接する一対の窓がある。この窓を通じてウール５６が、棒状電極７０とメッシュ状電極６０との間隙に出入する。この窓は、ウール５６を通すことができるような寸法に形成される。しかしながら、窓のサイズおよび形状は、使用者の手や指を棒状電極とメッシュ状電極との間隙に挿入できないように設定され、そうすることにより使用者の感電死を防止する。
【００６１】
さらに、装置３０に別の安全対策機構を設けてもよい。この機構は、ロック可能ゲートである。このゲートはバッフル４２に隣接したドラム４０の弧部の反対の位置にある。このゲートは、論理スイッチを備えることが好ましい。この論理スイッチは、ゲートがロックされた場合のみ装置の運転を可能とする。そうすることによって、装置３０が稼働中に使用者がドラム４０に近づくことを未然に防ぐ。
【００６２】
バッフル４２がウール５６のメッシュ状電極６０からの解放を補助するにも拘わらず、ウール５６の一部がくっ付いたままになって進み、棒状電極７０とメッシュ状電極６０との間のプラズマ処理用の間隙に再入場することが稀にある。このような場合、ウール５６のくっ付いてしまった部分は、ウール５６の新たに取り込まれた部分と重なる。両方を重ねた厚さは、棒状電極７０とメッシュ状電極６０との間隔を上回ることがあり、その結果、棒状電極７０の損傷または破壊が生じる。この重なりを防止するため、ウール５６のくっ付いてしまっている部分を感知した場合に装置３０を停止させる光学的センサをバッフルに対向する位置に設ける。漂遊するウール繊維またはその他の塵片により装置が繰り返して停止することを防止するため、センサは、光学的な干渉を、０．２５秒間を超えて受けた場合にのみ装置停止をトリガするようにプログラムされる。
【００６３】
図６は、別の、ウール・スライバ・プラズマ処理装置１００の図である。装置１００は、回転ドラムに替えて、メッシュ状エンドレスベルト１０４でウール・スライバを運搬する。このメッシュ状エンドレスベルトは、電極を形成する。或いは、メッシュは、電気絶縁性材料から形成され、第２電極を形成する構造を覆うものであってもよい。棒状電極１０２は、メッシュ状ベルト１０４の上方に間隔を置いて配される。棒状電極１０２は、先述の実施形態に係る棒状電極７０と同一の方法により形成される。電極１０２とメッシュ１０４との間の間隔、および、隣接する電極間同士の間隔は、先の実施形態において説明した気流の効果と同様の効果を備えるように設定される。メッシュを支持する構造体は、気流を、誘電体に覆われた棒状電極の周囲に優先的に向かわせるような形状を有することが望ましい。例えば、棒状電極の形態に類似した形態を備えつつ誘電体に覆われた棒状電極の真下に空間を設ける構成がある。吸引手段１０６は、Ｆなる印を付した矢印の示す方向へ向かう気流を発生させる。この気流は、スライバ５６を通過し、かつスライバ５６の移動方向とは直角な方向を有する。スライバ５６を処理しつつ、このようにして、電極１０２とメッシュ１０４との間で発生したプラズマにより生成される活性種は、スライバ５６から吸い出される。
【００６４】
図５に示した交互的配置を有する電極７０のアセンブリも同様に、装置１００に用いてよい。この場合、プラズマは隣接する電極１０２間で発生する。また同様に、プラズマ生成物は、電極１０２の近隣を移動するスライバ５６から、吸引手段１０６による直角方向の気流Ｆにより吸い出される。この構成ではスライバ５６内における処理の程度の違いが生じる。つまり、スライバ５６の上端の繊維は、スライバ内部下方にある繊維よりも強い表面処理を受ける。均一な繊維処理を望む場合、スライバを裏返してから２回目の装置通過を行うか、またはスライバを裏返してから第２の装置１０６を用いればよい。
【図面の簡単な説明】
【００６５】
【図１】本発明に係る好適な実施形態による、特にウール・スライバの処理に好適な、プラズマ処理装置の断面概略図である。
【図２】図１に示す装置の部分断面拡大図である。
【図３】第２電極を省略した図１に示す装置の斜視図である。
【図４】第２電極の部分断面斜視図である。
【図５】第２電極の別の構成例を示す斜視図である。
【図６】本発明に係る別の実施形態による、プラズマ処理装置の断面図である。
【符号の説明】
【００６６】
３０  ・・・  プラズマ処理装置          ４０  ・・・  ドラム
４２  ・・・  バッフル                  ４４  ・・・  管状コア
４６  ・・・  開口部                    ４８  ・・・  導管
５０  ・・・  吸引手段                  ５２  ・・・  モータ
５４  ・・・  ホイール                  ５６  ・・・  ウール・スライバ
５８  ・・・  ローラ                    ６０  ・・・  メッシュ状電極
６２  ・・・  粗いメッシュ              ６４  ・・・  細かいメッシュ
７０  ・・・  棒状電極                  ７２  ・・・  導電性コア
７５  ・・・  露出端部                  ７６  ・・・  ガラスチューブ
８０  ・・・  シール                    ８２  ・・・  ワイヤ
８５  ・・・  電源                      ９０  ・・・  壁部
１００  ・・・  プラズマ処理装置        １０２  ・・・  棒状電極
１０４  ・・・  メッシュ状ベルト        １０６  ・・・  吸引手段
【図１】
2006525627.tif 000003
【図２】
2006525627.tif 000004
【図３】
2006525627.tif 000005
【図４】
2006525627.tif 000006
【図５】
2006525627.tif 000007
【図６】
2006525627.tif 000008
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
ガス透過性素材に対しプラズマ処理する装置であって、
（ａ）離隔した電極であって、前記電極の少なくとも１つは誘電バリアに覆われ、かつ、前記電極の少なくとも１つは複数の分離型電極セグメントを備える、前記離隔した電極と、
（ｂ）前記離隔した電極間に交流電圧を印加し、前記離隔した電極間にプラズママイクロ放電を発生させる交流電圧印加手段と、
（ｃ）前記ガス透過性素材を、前記離隔した電極の間または近傍を通過させる手段と、
（ｄ）前記電極セグメント間にあるガスを、前記電極の間隙を通りかつ前記ガス透過性素材を通り抜けるように移動させるガス移動手段であって、もって前記ガスは前記電極セグメントのプラズマ生成界面を流され、ここで、前記ガスの流れの速さは、前記離隔した電極間において前記流れが乱流となり、よって前記プラズママイクロ放電をランダム化しかつ前記ガス透過性素材内において燃焼につながる不安定を生じさせるプラズマ生成物を分散させるような速さである、前記ガス移動手段とを有し、
前記ランダム化されたマイクロ放電によって概ね均一なプラズマ処理が前記ガス透過性素材に施されることを特徴とするプラズマ処理装置。
【請求項２】
前記離隔した電極に含まれる第１電極は、ガス透過性であることを特徴とする請求項１に記載の装置。
【請求項３】
前記第１電極は、メッシュ状電極であることを特徴とする請求項２に記載の装置。
【請求項４】
前記メッシュ状電極は、粗いメッシュを備え、前記粗いメッシュは、その上方にある細かいメッシュの層を支持することを特徴とする請求項３に記載の装置。
【請求項５】
前記第１電極は、回転ドラム電極の曲面であり、
第２電極は、前記電極セグメントを備え、
前記電極セグメントは、前記ドラムと同心円状に配され、
前記ガス透過性素材は、前記第１と第２電極との間において前記第１電極に乗ることができることを特徴とする請求項２ないし４のいずれか１つに記載の装置。
【請求項６】
前記ドラムは、中空の回転式ドラムであることを特徴とする請求項５に記載の装置。
【請求項７】
前記電極セグメントの前記プラズマ生成界面は、前記離隔した電極の他方の電極と対向し、横方向に湾曲した細長い面であることを特徴とする請求項１ないし６のいずれか１つに記載の装置。
【請求項８】
前記電極セグメントは、それぞれ、棒状電極であることを特徴とする請求項１ないし７のいずれか１つに記載の装置。
【請求項９】
前記分離型電極セグメントの隣り合った電極セグメントは、およそ０．５ｍｍないし２ｍｍの間隔を有することを特徴とする請求項１ないし８のいずれか１つに記載の装置。
【請求項１０】
前記交流電圧印加手段は、前記移動されるガス中に含まれ、前記プラズママイクロ放電の局在化を引き起こし得るプラズマ副生成物を分散および／または移動させることができる周波数で、前記電極に対し電圧を印加することを特徴とする請求項１ないし９のいずれか１つに記載の装置。
【請求項１１】
前記周波数は、１ｋＨｚないし２０ｋＨｚの範囲に含まれることを特徴とする請求項１０に記載の装置。
【請求項１２】
前記周波数は、１ｋＨｚないし５ｋＨｚの範囲に含まれることを特徴とする請求項１０に記載の装置。
【請求項１３】
前記電極の間の間隔は、２ｍｍないし１０ｍｍの範囲に含まれることを特徴とする請求項１ないし１２のいずれか１つに記載の装置。
【請求項１４】
前記離隔した電極は、前記ガス透過性素材を通り抜ける前記ガスを、前記離隔した電極間を通過する前記素材の移動方向と直角をなす方向に移動させることを可能な形状を有することを特徴とする請求項１ないし１３のいずれか１つに記載の装置。
【請求項１５】
プラズマ処理したガス透過性素材を作成する方法であって、
（ａ）離隔した電極間に交流電圧を印加し前記離隔した電極間にプラズママイクロ放電を発生させるステップであって、ここで前記電極の少なくとも１つが誘電バリアに覆われ、かつ前記電極の少なくとも１つが複数の分離型電極セグメントを含む、ステップと、
（ｂ）ガス透過性素材を、前記離隔した電極の間または近傍を通過させるステップと、
（ｃ）前記電力セグメント間にあるガスを、前記電極の間隙を通りかつ前記ガス透過性素材を通り抜けるように移動させるステップであって、もって前記ガスは前記電極セグメントのプラズマ生成界面を流され、ここで、前記ガスの流れの速さは、前記離隔した電極間において前記流れが乱流となり、よって前記プラズママイクロ放電をランダム化しかつ前記ガス透過性素材内において燃焼につながる不安定を生じさせるプラズマ生成物を分散させるような速さである、ステップとを有し、
前記ランダム化されたマイクロ放電によって概ね均一なプラズマ処理が前記ガス透過性素材に施されることを特徴とする方法。
【請求項１６】
前記ガスを、前記離隔した電極に含まれる第１電極を通って移動させるステップを含み、
前記第１電極は、ガス透過性であることを特徴とする請求項１５に記載の方法。
【請求項１７】
前記電極セグメントの前記プラズマ生成界面は、前記離隔した電極の他方の電極と対向し、横方向に湾曲した細長い面であることを特徴とする請求項１５または１６に記載の方法。
【請求項１８】
前記電極セグメントは、それぞれ、棒状電極であることを特徴とする請求項１５ないし１７のいずれか１つに記載の方法。
【請求項１９】
前記交流電圧は、前記移動されるガス中に含まれ、前記プラズママイクロ放電の局在化を引き起こし得るプラズマ副生成物を分散および／または移動させることができる周波数を有することを特徴とする請求項１５ないし１８のいずれか１つに記載の方法。
【請求項２０】
前記周波数は、１ｋＨｚないし２０ｋＨｚの範囲に含まれることを特徴とする請求項１９に記載の方法。
【請求項２１】
前記周波数は、１ｋＨｚないし５ｋＨｚの範囲に含まれることを特徴とする請求項１９に記載の方法。
【請求項２２】
前記ガスは、前記ガス透過性素材が前記離隔した電極間を通過する方向と直角な方向に前記ガス透過性素材を通り抜けて移動させられることを特徴とする請求項１５ないし２１のいずれか１つに記載の方法。
【請求項２３】
前記ガスは、空気であることを特徴とする請求項１５ないし２２のいずれか１つに記載の方法。
【請求項２４】
前記電極の間の間隙および前記ガス透過性素材を通り抜けるときの前記空気の空気圧は、実質的に大気圧であることを特徴とする請求項２３に記載の方法。
【請求項２５】
前記離隔した電極に印加される前記電圧は、１０ｋＶないし２５ｋＶの範囲に含まれることを特徴とする請求項１５ないし２４のいずれか１つに記載の方法。
【請求項２６】
前記ガス透過性素材は、繊維状素材であることを特徴とする請求項１５ないし２５のいずれか１つに記載の方法。
【請求項２７】
前記繊維状素材は、ウールであることを特徴とする請求項２６に記載の方法。
【請求項２８】
前記繊維状素材は、ウール・スライバであることを特徴とする請求項２７に記載の方法。
【請求項２９】
前記電極セグメントは、
（ａ）導電性要素と、
（ｂ）前記導電性要素まわりの誘電性シースと、
（ｃ）前記導電性要素および前記誘電性シースの両方と接する液状導電性媒体とを有し、前記液状媒体が前記誘電性シースとの均一な接触部を形成することを特徴とする請求項１ないし１４のいずれか１つに記載の装置。
【請求項３０】
前記液状媒体は、前記導電性要素と前記誘電性シースとの間に配されることを特徴とする請求項２９に記載の装置。
【請求項３１】
前記誘電性シースは、実質的に、前記導電性要素の周囲を囲むかまたは取り囲み、前記導電性要素が前記電極セグメントのコアを形成していることを特徴とする請求項３０に記載の装置。
【請求項３２】
前記液状媒体は、透明であることを特徴とする請求項２９ないし３１のいずれか１つに記載の装置。
【請求項３３】
前記液状媒体は、制御可能に可変的な、組成に依存した電気伝導性を有することを特徴とする請求項２９ないし３２のいずれか１つに記載の装置。
【請求項３４】
前記電極セグメントは、細長く、概ね円筒形であることを特徴とする請求項２９ないし３３のいずれか１つに記載の装置。
【手続補正２】
【補正対象書類名】明細書
【補正対象項目名】００３０
【補正方法】変更
【補正の内容】
【００３０】
上述の電極セグメントは各々、
（ａ）導電性要素と、
（ｂ）導電性要素まわりの誘電性シースと、
（ｃ）導電性要素および誘電性シースの両方と接する液状導電性媒体とを有してよく、もって、その液状媒体が誘電性シースとの均一な接触部を形成することができる。
【手続補正３】
【補正対象書類名】明細書
【補正対象項目名】００３１
【補正方法】変更
【補正の内容】
【００３１】
この液状媒体は、導電性要素と誘電性シースとの間に配されることが好ましい。誘電性シースは、実質的に、導電性要素の周囲を囲むかまたは取り囲むことが好ましく、そうすることで、例えば、導電性要素が電極セグメントのコアを形成する。
【手続補正４】
【補正対象書類名】明細書
【補正対象項目名】００３２
【補正方法】変更
【補正の内容】
【００３２】
液状媒体と誘電性シースとの間の均一な接触部により、誘電性シースの表面に対し一様な電流が確実に供給される。これにより、電極セグメント間のガスのランダムな絶縁破壊が容易となり、なおさらに均一なプラズマが生じる。また、これにより電極構造に含まれる尖ったポイントにおける電場の集中が回避される。この尖った構造とは、絶縁破壊の確率を高める構造である。このことは、薄い誘電性媒体を用いた場合に特に重要な事柄である。この薄い誘電性媒体は、プラズマと電気エネルギとの結合の効率を最大限に高める上で好ましいものである。また、液状導電体は電極セグメント内の熱を均一に分布させる役割を有し、それによって熱応力を最小限にとどめる。
【手続補正５】
【補正対象書類名】明細書
【補正対象項目名】００３５
【補正方法】変更
【補正の内容】
【００３５】
電極セグメントは、任意の形状を有してよいが、細長いことが好ましい。また、円筒形であることが好ましい。
【国際調査報告】
2006525627.tif 000009
2006525627.tif 000010
2006525627.tif 000011